【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
密閉装置内で水性処理配合物および固体の粒状物質と一緒に、加湿された動物の基材を撹拌する工程を含んでなり、そこで、
水性処理配合物が少なくとも１種の着色剤を含んでなり、そして
固体の粒状物質が複数のポリマー粒子、または複数の非ポリマー粒子、または複数のポリマー粒子と非ポリマー粒子の混合物を含んでなり、そして
ポリマーまたは非ポリマー粒子が１ｍｍ〜５００ｍｍの平均粒径および／または１〜５００ｍｍの長さをもち、
動物の基材が、原皮、表皮または本革である、
動物の基材を処理する方法。
【請求項２】
密閉装置が、回転性に取付られたドラム、または回転性に取付けられた円筒状ケージの形態の処理室を含んでなり、そしてその方法が、前記処理室を回転することにより、前記動物の基材と前記処理配合物を撹拌する工程を含んでなる、請求項１に記載の方法。
【請求項３】
動物の基材に適用される少なくとも幾つかの着色剤、または動物の基材に適用される実質的にすべての着色剤が処理配合物から由来する、請求項１または２に記載の方法。
【請求項４】
着色剤が１種以上の染料、顔料、蛍光増白剤またはそれらの混合物選択され、好ましくは着色剤がアニオン性染料、カチオン性染料、酸性染料、塩基性染料、両性染料、反応性染料、直接染料、クロム媒染染料、前金属化染料および硫黄染料から選択される１種以上の染料である、請求項１〜３のいずれか１項に記載の方法。
【請求項５】
動物の基材が、約１０００：１〜約１：１０００重量／重量、または約１：１００〜約１：１重量／重量の、水対動物の基材の比率を達成するように、湿潤化により加湿される、請求項１〜４のいずれか１項に記載の方法。
【請求項６】
処理配合物中の水対固体の粒状物質の比率が、約１０００：１〜約１：１０００重量／重量、または約１：１〜約１：１００重量／重量である、請求項１〜５のいずれか１項に記載の方法。
【請求項７】
固体の粒状物質対動物の基材の比率が、約１０００：１〜約１：１０００重量／重量、または約５：１〜約１：５重量／重量である、請求項１〜６のいずれか１項に記載の方法。
【請求項８】
固体の粒状物質、対動物の基材、対水の比率が、約１：１：１〜約５０：５０：１重量／重量である、請求項１〜７のいずれか１項に記載の方法。
【請求項９】
固体の粒状物質を導入する前に、密閉装置内に水性処理配合物の第１の部分を添加し、そして処理配合物と一緒に、加湿された動物の基材を撹拌するか、または水性処理配合物を添加する前に、密閉装置内で固体の粒状物質と一緒に、加湿された動物の基材を撹拌する工程を含んでなる、請求項１〜８のいずれか１項に記載の方法。
【請求項１０】
再循環手段により処理室内に固体の粒状物質を再循環させる工程を含んでなる、請求項２、または請求項２に従属する時は請求項３〜９のいずれか１項に記載の方法。
【請求項１１】
水性処理配合物と固体の粒状物質と一緒の、加湿された動物の基材の前記撹拌の前または後に、前記動物の基材を、なめし、再なめし、洗浄、原皮の保存仕立て、浸漬、石灰処理、脱毛、取り残しの毛と汚れを除去、皮から肉をそぐ、脱灰、戻し酸洗いおよび脂肪液浸漬を含むビームハウス処理、酵素処理、染料固定並びに１つ以上の更なる着色剤処理から選択される少なくとも一つの更なる処理に暴露する工程を更に含んでなる、請求項１〜１０のいずれか１項に記載の方法。
【請求項１２】
処理配合物が少なくとも５重量／重量％、好ましくは９９．９重量／重量％以下の水を含んでなる、請求項１〜１１のいずれか１項に記載の方法。
【請求項１３】
処理配合物が水を含んでなり、そして有機溶媒を含まない、請求項１〜１２のいずれか１項に記載の方法。
【請求項１４】
その方法が、動物の基材との粒状物質の接触の前に、固体の粒状物質を着色剤で被覆するようになっている段階を含まない、請求項１〜１３のいずれか１項に記載の方法。
【請求項１５】
密閉装置内で水性処理配合物および固体の粒状物質と一緒に、加湿された動物の基材を撹拌する工程を含んでなる動物の基材を処理するためのその後の方法において、粒子が少なくとも１回再使用される、請求項１〜１４のいずれか１項に記載の方法。
【請求項１６】
動物基材の処理後に、固体の粒状物質が処理室から回収される、請求項２３または、請求項２に従属する時は請求項３〜１５のいずれか１項に記載の方法。
【請求項１７】
固体の粒状物質が動物の基材の表面に浸透しない、請求項１〜１６のいずれか１項に記載の方法。
【請求項１８】
ポリマーまたは非ポリマー粒子が、１ｍｇ〜１００ｇまたは５ｍｇ〜１００ｍｇの平均質量をもち、好ましくは０．５〜２０ｇ／ｃｍ3または０．５〜３．５ｇ／ｃｍ3の平均密度をもち、好ましくは１ｍｍ〜５．０ｍｍまたは２．５ｍｍ〜４．５ｍｍの平均粒径をもち、好ましくは１ｍｍ〜５．０ｍｍまたは２．５ｍｍ〜４．５ｍｍの長さをもち、および／または、ポリマー粒子が５〜２７５ｍｍ3の平均容量をもつ、請求項１〜１７のいずれか１項に記載の方法。
【請求項１９】
ポリマーまたは非ポリマー粒子がビーズを含んでなる、請求項１〜１８のいずれか１項に記載の方法。
【請求項２０】
非ポリマー粒子が、セラミック材料、耐熱材料、火成、堆積または変成鉱物、複合材料、金属、ガラスまたは木材の粒子を含んでなる、請求項１〜１９のいずれか１項に記載の方法。
【請求項２１】
ａ）密閉装置中で水性処理配合物の第１の部分と固体の粒状物質と一緒に、加湿された動物の基材を撹拌する工程、
ｂ）固体の粒状物質を取り出す工程、
ｃ）水性処理配合物の第２の部分を添加し、そして水性処理配合物と一緒に、加湿された動物の基材を撹拌する工程：
の段階を含んでなる、請求項１〜２０のいずれか１項に記載の方法。
【請求項２２】
処理室が穿孔を含んでなる、請求項２、または請求項２に従属する時は請求項３〜２１のいずれか１項に記載の方法。
【請求項２３】
請求項１〜２２のいずれか１項に従う、ヒトへの使用のための動物の基材を調製する方法。
【請求項２４】
処理された動物の基材、またはそれらの一つ以上の部分を乾燥、被覆、仕上げ塗り、磨き仕上げ、切削、型削り、成型、型押し、型抜き、のり付け、縫い込み、張り付けおよび包装から選択される一つ以上のその後の加工段階を含んでなる、請求項１〜２３のいずれか１項に記載の方法。
【請求項２５】
前記の一つ以上のその後の加工段階が、最終的本革基材を製造する工程を含んでなる、請求項２４に記載の方法。
【請求項２６】
請求項１〜２４のいずれか１項に記載の方法により得られる動物の基材。
【請求項２７】
請求項１〜２５のいずれか１項に記載の方法により得られる、または請求項２６に記載の動物の基材を含んでなる最終的本革商品、または最終的本革商品の構成材料。
【請求項２８】
該方法の少なくとも一つの相または段階は、約０℃〜約１００℃の間、好ましくは０℃〜６０℃の間、より好ましくは約２０℃〜６０℃の間の温度で実施される、請求項１〜２５のいずれか１項に記載の方法。
【請求項２９】
動物の基材の処理後に、粒子をクリーニング手順に暴露する段階を含む、請求項１〜２５または２８のいずれか１項に記載の方法。
【請求項３０】
前記粒子は、場合により１０回おき、５回おき、３回おき、２回おきまたは１回おきの撹拌段階後に断続的に洗浄される請求項１５に記載の方法。
【請求項３１】
粒子のクリーニング段階は、水、有機溶媒またはそれらの混合物であるクリーニング配合物で粒子を洗浄する工程を含み、クリーニング配合物は、あらゆる汚染物の除去を助けるために、場合により１種以上の洗浄剤を含み、洗浄剤は、場合により界面活性剤、洗剤、染料移動剤、殺生物剤、殺真菌剤、ビルダーおよび金属キレート剤から選択される請求項３０に記載の方法。
【請求項３２】
洗浄中、粒子が撹拌される請求項３０または３１に記載の方法。